(57)【要約】      （修正有）【課題】可変レートで送信することができる高データレートの通信システムにおいて、開ループレート制御が閉ループ制御で調整されてスループットを最大化する。【解決手段】アクセスポイントはインターリーブされたマルチスロットのパケットを生成し、マルチパケットのスロット内に保持されている最近受信したデータに従って、アクセス端末が表示メッセージをアクセスポイントへ送信することを可能とする。【選択図】図１
2011045098.tif 000002
【特許請求の範囲】
【請求項１】
通信ネットワークのデータスループットレートを高める方法であって、
アクセスポイントにおいて複数のデータスロットおよび複数のギャップスロットを生成するステップと、なお、前記複数のデータスロットは、複数のパケットを形成するために複数のギャップスロットでインターリーブされる；
前記複数のパケットをアクセス端末へ送るステップと；
前記アクセス端末において前記複数のパケットを検出するステップと、なお、前記アクセス端末は、受信状態を示す少なくとも1つの表示メッセージを前記アクセスポイントへ送信する；
を備える方法。
【請求項２】
前記複数のデータスロットは、交互のパターンで複数のギャップスロットにインターリーブされている、請求項１記載の方法。
【請求項３】
前記複数のデータスロットは、各Ｎ番目のスロットがギャップスロットになるように、複数のギャップスロットでインターリーブされている、請求項１記載の方法。
【請求項４】
前記複数のデータスロットは、非周期的な構造にしたがって複数のギャップスロットでインターリーブされている、請求項１記載の方法。
【請求項５】
アクセスポイントからアクセス端末へ送るためのデータスループットレートを高める方法であって、
前記アクセス端末へ送る複数のデータパケットをアクセスポイントにおいて生成するステップと、なお、前記複数のデータパケットの各々は少なくとも1つのスロットを含んでおり、前記アクセスポイントは前記複数の各データパケットの中の各スロットをデータスロットまたはギャップスロットとして示す；
最初のデータレートで前記複数のデータパケットを前記アクセス端末へ送信するステップと；
前記アクセス端末において１組の推定チャンネルパラメータを決定するステップと；
前記推定チャンネルパラメータの組に基づいてデータ要求メッセージを前記アクセスポイントへ送信するステップと、なお、前記複数のデータパケットを前記アクセス端末へ送るステップは、データ要求メッセージにしたがって実行される；
前記アクセス端末において実際のチャンネルパラメータの組を決定するステップと；
前記実際のチャンネルパラメータの組が所定の品質量をパスするとき、少なくとも１つのギャップスロットと関係する時間期間中に前記アクセスポイントへ表示メッセージを送るステップと；
前記アクセスポイントにおいて受信した表示メッセージにしたがって、前記アクセス端末へ送るための次のデータパケットを変更するステップと；
を備える方法。
【請求項６】
前記実際のチャンネルパラメータの組は、前記推定チャンネルパラメータの組と関係するノイズレベルよりも低いノイズレベルを示すとき、前記表示メッセージは停止表示メッセージである、請求項５記載の方法。
【請求項７】
前記実際のチャンネルパラメータの組は、前記推定チャンネルパラメータの組と関係するノイズレベルよりも高いノイズレベルを示すとき、前記表示メッセージは拡張表示メッセージである、請求項５記載の方法。
【請求項８】
前記表示メッセージはスロットｎ中に受信したビットを備えており、前記アクセスポイントは交互のパターンにしたがって前記複数のデータパケット内の各スロットを指示し、前記アクセス端末へ送る次のデータパケットを変更するステップは、
前記複数のデータパケットの１つの反復がスロットｎ＋１へ既にスケジュールされているときに、ビットが伝送終了の要求であることを決定するステップと；
既に送られたパケットがスロットｎ−１において伝送を終了したときは、ビットが再伝送要求であることを決定するステップと；
前の表示ビットによって、スロットｎ−１において既に送られたパケットの再伝送が行なわれ、かつ所定数よりも少ない再伝送が複数のデータパケットについて既に処理されているとき、ビットが再伝送の要求であることを決定するステップと；
条件が満たされていないときは、ビットがフォールスアラームであることを決定するステップと；
を備える、請求項５記載の方法。
【請求項９】
前記表示メッセージはスロットｎ中に受信したビットを備えており、前記アクセスポイントは、期間ｐにしたがって複数のデータパケット内の各スロットを指定し、前記アクセス端末へ送信するための次のデータパケットを変更するステップは、
前記複数のデータパケットの１つの反復がスロットｎ＋１へ既にスケジュールされているとき、ビットが伝送終了の要求であることを決定するステップと；
既に送られたパケットがスロットｎ−ｐ＋１において伝送を終了したときに、ビットが再伝送の要求であることを決定するステップと；
前の表示ビットによって、スロットｎ−ｐ＋１において既に送られたパケットの再伝送が行なわれ、かつ所定数よりも少ない再伝送が複数のデータパケットへ既に処理されているとき、ビットが再伝送の要求であることを決定するステップと；
条件が満たされていないときは、ビットがフォールスアラームであることを決定するステップと；
を備える、請求項５記載の方法。
【請求項１０】
前記表示メッセージはスロットｎ中に受信したビットを備え、前記アクセス端末へ送信するための次のデータパケットを変更するステップは、
前記複数のデータパケットの１つの反復がスロットｎ＋１へ既にスケジュールされているとき、ビットが伝送終了の要求であることを決定するステップと；
既に送られたパケットがスロットｎ−Ｎ(i)において伝送を終了したとき、ビットが再伝送の要求であることを決定するステップと、なお、Ｎ(i)はデータスロット間のギャップスロット数、ｉはデータレート指数を示す；
前の表示ビットによって、スロットｎ−Ｎ(i)において既に送信されたパケットの再伝送が行なわれ、かつ所定数よりも少ない再伝送が複数のデータパケットにおいて既に処理されているときに、ビットが再伝送の要求であることを決定するステップと；
条件が満たされていないときは、ビットがフォールスアラームであることを決定するステップと；
を備える、請求項５記載の方法。
【請求項１１】
前記実際のチャンネルパラメータの組は、信号対干渉および雑音比を備える、請求項５記載の方法。
【請求項１２】
前記実際のチャンネルパラメータの組を決定するステップは、パケットの誤り事象を決定するために前記アクセス端末において前記複数のデータパケットをデコードするステップを備え、前記パケットの誤り事象は、良好なデータパケットの受信か、または不良のデータパケットの受信かを示す、請求項５記載の方法。
【請求項１３】
前記アクセス端末において前記複数のデータパケットをデコードするステップは、
複数の巡回冗長検査（cyclic redundancy check, CRC）のビットをデコードするステップと；
前記デコードされた複数の巡回冗長検査のビットを推定品質測度と比較するステップと、なお、前記推定品質測度は、前記推定チャンネルパラメータの組から計算される；
を備える、請求項１２記載の方法。
【請求項１４】
前記アクセスポイントへ表示メッセージを送信するステップは、
伝送誤り率の値を決定するためにコード符号を処理するステップと；
前記伝送誤り率の値が所定量よりも大きいときは、拡張表示メッセージを送信するステップと；
を備える、請求項５記載の方法。
【請求項１５】
前記表示メッセージはスロットｎ中に受信したビットを備えており、前記アクセスポイントは、前記複数のデータパケット内の各スロットを交互のパターンにしたがって指定し、前記アクセス端末へ送信するための次のデータパケットを変更するステップは、
前記複数のデータパケットの１つの反復がスロットｎ−１へ既にスケジュールされているとき、ビットが伝送終了の要求であることを決定するステップと；
既に送られたパケットがスロットｎ−１において伝送を終了したとき、ビットが再伝送の要求であることを決定するステップと；
前の表示ビットによって、スロットｎ−１において既に送られたパケットの再伝送が行なわれ、かつ所定数よりもより少ない再伝送が複数のデータパケットについて既に処理されているとき、ビットが再伝送の要求であることを決定するステップと；
状態が満たされていないとき、ビットがフォールスアラームであることを決定するステップと；
を備える、請求項１２記載の方法。
【請求項１６】
前記表示メッセージはスロットｎ中に受信したビットを備えており、前記アクセスポイントは期間ｐにしたがって複数のデータパケット内の各スロットを指定し、前記アクセス端末へ送信するための次のデータパケットを変更するステップは、
前記複数のデータパケットの１つの反復がスロットｎ＋１へ既にスケジュールされているとき、ビットが伝送終了の要求であることを決定するステップと；
既に送られたパケットがスロットｎ−ｐ＋１において伝送を終了したときは、ビットが再伝送の要求であることを決定するステップと；
前の表示ビットによって、スロットｎ−ｐ＋１において既に送られたパケットの再伝送が行なわれ、かつ所定数よりも少ない再伝送が複数のデータパケットについて既に処理されているときは、ビットが再伝送の要求であることを決定するステップと；
条件が満たされていないときは、ビットがフォールスアラームであることを
決定するステップと；
を備える、請求項１２記載の方法。
【請求項１７】
前記表示メッセージはスロットｎ中に受信したビットを備えており、前記アクセス端末へ送信するための次のデータパケットを変更するステップは、
前記複数のデータパケットの１つの反復がスロットｎ＋１へ既にスケジュールされているとき、ビットが伝送終了の要求であることを決定するステップと；
既に送信されたパケットがスロットｎ−Ｎ(i)において伝送を終了したときは、ビットが再伝送の要求であることを決定するステップと、なお、Ｎ(i)はデータスロット間のギャップスロット数を、ｉはデータレート指数を示す；
前の表示ビットによってスロットｎ−Ｎ(i)において既に送られたパケットの再伝送が行なわれ、かつ所定数よりも少ない再伝送が複数のデータパケットについて既に処理されているときは、ビットが再伝送の要求であることを決定するステップと；
条件が満たされていないときは、ビットがフォールスアラームであることを決定するステップと；
を備える、請求項１２記載の方法。
【請求項１８】
アクセスポイントからアクセス端末への伝送のデータスループットレートを高めるためのシステムであって、アクセス端末へ送るための複数のインターリーブされたデータスロットおよびギャップスロットを生成するように構成されている、アクセスポイントにおけるプロセッサを備えるシステム。
【請求項１９】
前記アクセス端末におけるプロセッサであって、複数のインターリーブされたデータスロットおよびギャップスロットをデコードし、前記アクセスポイントから前記アクセス端末への伝送に関係する品質値を決定し、前記品質値にしたがって送信のためのデータレート要求メッセージを生成し、前記品質値にしたがって表示メッセージを生成し、前記表示メッセージは少なくとも１つのギャップスロットと関係する時間期間中に生成されて前記アクセスポイントへ送られるように構成されているプロセッサをさらに含む、請求項１８記載のシステム。
【請求項２０】
前記品質値はチャンネルのノイズおよび干渉値によって決定される、請求項１９記載の装置。
【請求項２１】
前記品質値は、前記デコードされた複数のデータスロットに基づいて、パケットの誤り値によって決定される、請求項１９記載の装置。
【請求項２２】
開ループレート制御プロセスを調節するための装置であって、
順方向リンクチャンネル上を送られるデータを記憶する少なくとも１つのバッファへ接続されており、複数のインターリーブされたデータスロットおよびギャップスロットをスケジュールするための、アクセスポイントにおけるスケジューラと；
前記スケジューラと結合されており、逆方向リンクチャンネル上で受信された複
数のデータ要求メッセージをデコードし、かつデータレート要求情報を前記スケジューラへ入力するためのデータレート要求メッセージデコーダと；
前記スケジューラと結合されており、前記逆方向リンク上で受信される複数の表示メッセージをデコードし、かつデコードされた表示メッセージを前記スケジューラへ入力するための表示メッセージデコーダと；
を備える装置。
【請求項２３】
開ループレート制御プロセスを調節するための装置であって、
順方向リンクチャンネルと関係する品質値を決定するための、アクセス端末における推定素子と；
前記推定素子に結合され、複数のデータレート要求メッセージを生成するための開ループレート制御素子と、なお、開ループレート制御素子は、前記推定素子から受信した前記品質値を使用して、前記複数のデータレート要求メッセージのコンテンツを決定する；
前記推定素子及び前記デコーダに結合され、前記推定素子からの前記品質値か、または前記デコーダからの誤り値の何れかに基づいて、複数の表示メッセージを生成するための閉ループレート制御素子と、なお、前記デコーダは、前記順方向リンク上で受信した複数のインターリーブされたデータスロットおよびギャップスロットをデコードするように構成される；
前記デコーダ及び前記推定素子に結合され、閾値の組にしたがって前記閉ループレート制御素子をイネーブルするための制御装置と；
を備える装置。
【発明の詳細な説明】
【技術分野】
【０００１】
本発明はデータ通信に関する。特に、本発明は、高レートのパケットデータ伝送において高速閉ループレートに適応するための新規で向上した方法および装置に関する。
【背景技術】
【０００２】
モバイルコンピューティングおよびデータアクセスは、次第に増加しているユーザに着実に利用可能になってきている。現在、連続データ接続および情報へのフルアクセスを行なう新しいデータサービスおよび技術の開発および導入が行われている。今日、ユーザは種々の電子デバイスを使用して、他の電子デバイスまたはデータネットワーク上に記憶されている音声またはデータ情報を検索することができる。これらの電子デバイスには、ワイヤを介してデータ資源に接続できるものや、ワイヤレス方式でデータ資源に接続できるものがある。ここで使用されているように、アクセス端末は、ユーザにデータの接続性を与えるデバイスである。アクセス端末は、デスクトップコンピュータ、ラップトップコンピュータ、またはパーソナルディジタルアシスタント（personal digital assistant, PDA）のような計算機に接続されているか、またはこのようなデバイスに物理的に組込まれていてもよい。アクセスポイントは、パケット交換データネットワークとアクセス端末との間にデータの接続性を与える装置である。
【０００３】
無線接続を行なうのに使用可能なアクセス端末には、例えば、移動電話があり、移動電話は種々のアプリケーションを支援できる通信システムの一部である。１つの通信システムは、符号分割多重アクセス（code division multiple access, CDMA）システムであり、ＣＤＭＡシステムは“TIA/EIA/IS-95 Mobile Station Base Station Compatibility Standard for Dual-Mode Wideband Spread Spectrum Cellular System”（ここではＩＳ−９５標準規格と呼ばれている）にした
がう。ＣＤＭＡシステムは、ユーザ間の音声およびデータ通信を地上リンクによって可能にしている。多重アクセス通信システムにおけるＣＤＭＡ技術の使用は、米国特許第4,901,307号（“SPREAD SPECTRUM MULTIPLE ACCESS COMMUNICATION SYSTEM USING SATELLITE OR TERRESTRIAL REPEATERS”）、および米国特許第5,103,459号（“SYSTEM AND METHOD FOR GENERATING WAVEFORMS IN A CDMA CELLULAR TELEPHONE SYSTEM”）に開示されており、両文献は本発明の譲受人に譲渡され、ここでは参考文献として取り上げている。本発明は、他のタイプの通信システムに同様に応用できることが分かるであろう。本発明は、ＴＤＭＡおよびＦＤＭＡのような他の周知の伝送変調方式、並びに他の拡散スペクトルシステムを使用するシステムに採用される。
【０００４】
無線データの応用に対する需要が増加しているので、非常に効果的な無線データ通信システムに対する必要性が益々大きくなってきている。ＩＳ−９５の標準規格では、順方向および逆方向リンク上でトラヒックデータおよび音声データを送ることができる。一定の大きさのコードチャンネルフレームにおいてトラヒックデータを送る方法は、米国特許第5,504,773号（“METHOD AND APPARATUS FOR THE FORMATTING OF DATA FOR TRANSMISION”）に詳しく記載されており、これは本発明の譲受人に譲渡され、ここでは参考文献として取り上げる。ＩＳ−９５の標準規格にしたがうと、トラヒックデータまたは音声データは、２０ミリ秒の幅で、１４．４キロビット秒のデータレートをもつコードチャンネルフレームへ分割される。
【０００５】
音声サービスとデータサービスとの間の重要な相違は、音声サービスには厳密な一定の遅延要件が課されていることである。通常は、言語フレームの全体的な一方向の遅延は１００ミリ秒未満でなければならない。対照的に、データの遅延は可変のパラメータであり、データ通信システムの効率を最適化するのに使用される。とくに、より効率的な誤り訂正コード化技術では、音声サービスで許容できる遅延よりも相当に大きい遅延が要求される。データの効率的なコード化方式の例は、1996年11月6日に出願された米国特許出願第08/743,688号（“SOFT DECISION OUTPUT DECODER FOR DECODING CONVOLUTIONALLY ENCODED CODEWORDS”）に開示されており、これは本発明の譲受人に譲渡され、ここでは参考文献として取り上げている。
【０００６】
音声サービスとデータサービスとの間の別の重要な相違は、音声サービスには、全ユーザのための一定で共通のサービス程度（grade of service, GOS）が必要であることである。通常は、音声サービスを提供するディジタルシステムでは、ＧＯＳによって全ユーザのための一定の等しい伝送レートと言語フレームの誤り率の最大許容値とに変換される。対照的に、データサービスでは、ＧＯＳはユーザごとに異なり、データ通信システムの全効率を向上するために最適化されたパラメータである。データ通信システムのＧＯＳは、通常は、所定量のデータ（以下では、データパケットと呼ぶ）を転送するときに発生する全遅延として定義される。
【０００７】
音声サービスとデータサービスとの間のさらに別の重要な相違は、音声サービスには高信頼性の通信リンクが必要であることであり、このような高信頼性の通信リンクは、例えばＣＤＭＡ通信システムではソフトハンドオフによって与えられる。ソフトハンドオフでは、信頼性を増すために、２以上の基地局から重複して送る。しかしながら、データ通信では、誤って受信したデータパケットを再伝送できるので、この追加の信頼性は必要ない。データサービスでは、ソフトハンドオフを支援するのに使用される伝送電力は、追加のデータを送るためにより効率的に使用される。
【０００８】
データパケットを転送するのに必要な伝送遅延と通信システムの平均スループットレートとは、データ通信システムの品質と効率とを測定するパラメータである。伝送遅延が与える影響は、データ通信と音声通信とでは異なるが、伝送遅延は、データ通信システムの品質を測定する重要な測度(metric)である。平均スループットレートは、通信システムのデータ伝送能力の効率の測度である。
【０００９】
セルラシステムでは、所与のユーザの信号対干渉および雑音比（signal-to-interference-and-noise ratio, SINR）が、有効範囲内のユーザの位置の関数であることはよく知られている。所与のレベルのサービスを維持するために、時分割多重アクセス（time division multiple access, TDMA）のシステムおよび周波数分割多重アクセス（frequency division multiple access, FDMA）のシステムは周波数再使用技術を使用しており、すなわち各基地局において全周波数チャンネルまたは全時間スロット、あるいはこの両者が使用されているわけではない。ＣＤＭＡシステムでは、システムの全セルにおいて同じ周波数割当てを再使用して、全効率を向上している。所与のユーザの移動局においてＳＩＮＲを測定し、基地局からユーザの移動局へのこの特定のリンクにおいて支援できる情報レートを決定する。特定の変調および誤り修正方法を使用して送るとき、所与のレベルの性能は対応するレベルのＳＩＮＲで実現される。六角形のセルのレイアウトをもち、かつ各セル内で共通の周波数を使用している理想的なセルラシステムでは、理想的なセル内で実現されるＳＩＮＲの配分を計算することができる。
【００１０】
高レートでデータを送ることができるシステム、すなわち以下で高データレート（High Data Rate, HDR）システムと呼ばれるシステムでは、開ループレート適応アルゴリズムを使用して、順方向リンクのデータレートを調節する。ＨＤＲシステムの例は、米国特許出願第08/963,386号（“METHOD AND APPARATUS FOR HIGH RATE PACKET DATA TRANSMISSION”）において開示されており、これは本発明の譲受人に譲渡され、ここでは参考文献として取り上げている。開ループレート適応アルゴリズムでは、無線環境において通常みられる可変のチャンネル状態にしたがってデータレートを調節する。一般的に、アクセス端末は、順方向リンク上でのパイロット信号送信期間に、受信データのＳＩＮＲを測定する。アクセス端末は、測定したＳＩＮＲ情報を使用して、次のデータパケット期間における将来の平均ＳＩＮＲを予測する。予測方法の例は、現在審査中の米国特許出願第09/394,980号（“SYSTEM AND METHOD FOR ACCURATELY PREDICTING SIGNAL TO INTERFERENCE AND NOISE RATIO TO IMPROVE COMMUNICATIONS SYSTEM PERFORMANCE”）に記載されており、これは本発明の譲受人に譲渡され、ここでは参考文献として取り上げている。予測されたＳＩＮＲによって、順方向リンク上で支援できる所与の成功率の最大データレートを決定する。したがって、開ループレート適応アルゴリズムは、アクセス端末がアクセスポイントに、予測のＳＩＮＲによって決定したデータレートで次のパケットを送ることを要求するメカニズムである。開ループレート適応方法は、モバイル環境のような不利な無線チャンネルの条件下でさえも、高スループットのパケットデータシステムを提供するのに非常に効果的であることが分かった。
【００１１】
しかしながら、開ループレート適応方法を使用する際の欠点は、アクセスポイントへのレート要求のフィードバックを送ることに関係する暗黙のフィードバックの遅延があることである。この暗黙の遅延の問題は、チャンネル状態の変化が速いときに、アクセス端末が要求データレートを毎秒数回更新しなければならないために悪化する。通常のＨＤＲシステムでは、アクセス端末は、毎秒約６００回更新を行なう。
【００１２】
純粋な開ループレート適応方法を実行しない理由は他にもある。例えば、開ループレート適応方法は、ＳＩＮＲの推定の精度に相当に依存しているからである。したがって、ＳＩＮＲの測定値が不完全であるので、アクセス端末が基礎となるチャンネル統計を精密に特徴付けることが妨げられる。チャンネル統計を不正確にする1つの要因は、上述のフィードバックの遅延である。アクセス端末は、フィードバックの遅延のために、過去と現在の雑音のある（noisy）ＳＩＮＲの推定を使用して、近い将来の支援できるデータレートを予測しなければならない。チャンネル統計を不正確にする別の要因は、受信したデータパケットの予測できないバースト性である。パケットデータセルラシステムでは、アクセス端末における干渉レベルがこのようなバーストによって突然に変化する。純粋な開ループレート適応方式では、干渉レベルが予測できないことを適切に説明できない。
【００１３】
純粋な開ループレート適応方法を実行しない別の理由は、誤りの影響を最小化できないからである。例えば、推定のＳＩＮＲの予測誤りが大きいときは、若干のモバイル環境の場合のように、アクセス端末は控えめなデータレート要求を送って、パケットの低い誤り率を保証する。パケットの誤り率が低いために、全体的な伝送遅延は小さくなる。しかしながら、アクセス端末は、（データレート要求が控えめでなければ）恐らくはより高いデータレートのパケットを受信するのに成功したであろう。開ループレート適応方法には、推定のチャンネル統計に基づくデータレート要求を、データパケットの伝送中の実際のチャンネル統計に基づくデータレートに更新する機構はない。したがって、開ループレート適応方法では、推定のＳＩＮＲの予測誤り率が大きいときは、最大スループットレートを得られない。
【００１４】
開ループレート適応方法が誤りの影響を最小化できない別の例は、アクセス端末が受信したパケットを不正確にデコードしたときである。無線リンクプロトコル（Radio Link Protocol, RLP）において、アクセス端末は、パケットを不正確にデコードしたときに再伝送を要求するが、再伝送の要求は、受信したシーケンス番号のスペースにギャップを検出した後でのみ生成される。したがって、ＲＬＰプロトコルでは、パケットが不正確にデコードされた後で、次の受信パケットの処理を要求する。この手続きでは、全体的な伝送遅延を増加する。データパケット内に含まれているコード符号の一部または全てを迅速に再伝送し、アクセス端末が遅延させ過ぎることなくパケットを正確にデコードできる機構が必要である。
【００１５】
したがって現在は、既に記載したように、伝送遅延を最小化し、かつスループットレートを最大化するために、開ループレート適応方法を変更することが必要である。
【発明の概要】
【００１６】
本発明は、開ループレート適応アルゴリズムを変更して、ハイブリッドの開ループ／閉ループのレート適応方式を生成するための新規で向上した方法および装置に関する。アクセスポイントは、データパケットのスロットにおいて時間のインターリーブされた構造を適切に生成して、インターリーブされた構造内に挿入されているギャップと関係する期間中に、アクセス端末が表示メッセージ（indicator message）をアクセスポイントへ送ることができるようにしている。
【００１７】
本発明の１つの態様では、インターリーブされたギャップと関係する期間は、アクセス端末がスロット内に保持されているデータをデコードし、かつデコードされたデータに基づいて表示メッセージを送るのに十分な継続期間である。本発明の代わりの態様では、表示メッセージは推定の信号対干渉および雑音のレベルに基づいている。
【００１８】
本発明の別の態様では、表示メッセージは１ビット長であり、アクセスポイントでは、ビットが到達するタイミングにしたがって、これを解釈する。
【００１９】
本発明の特徴、目的、および長所は、同じ参照符号が全体的に対応して識別している図面に関連付けて採用したときに、次に記載する詳細な記述からより明らかになるであろう。
【図面の簡単な説明】
【００２０】
【図１】図１はマルチスロットパケットにおいて１スロットのギャップがインターレースされている構造の例示的な図。
【図２】図２はマルチスロットパケットにおいて一様なＮスロットのギャップがインターレースされている構造の例示的な図。
【図３】図３はマルチスロットパケットにおいて一様でないＮスロットのギャップがインターレースされている構造の例示的な図。
【図４】図４はマルチスロットパケットにおける例示的な停止（ＳＴＯＰ）制御表示の図。
【図５】図５はマルチスロットパケットにおける例示的な拡張（ＥＸＴＥＮＤ）制御表示の図。
【図６】図６は本発明の例示的な実施形態のブロック図。
【発明の詳細な説明】
【００２１】
データ通信システムの例示的な実施形態では、順方向リンクのデータ伝送は、１つのアクセスポイントから１以上のアクセス端末へアクセス端末によって要求されるデータレートで行われる。逆方向リンクのデータ通信は、１つのアクセス端末から１以上のアクセスポイントへ行うことができる。データはデータパケットへ分割され、各データパケットは時間スロット上で送られる。アクセスポイントは、各時間スロットにおいてアクセスポイントと通信しているアクセス端末へデータを送ることができる。
【００２２】
最初に、アクセス端末は所定のアクセス手続きを使用してアクセスポイントとの通信を設定する。この接続状態では、アクセス端末はアクセスポイントからデータメッセージと制御メッセージとを受信し、データメッセージと制御メッセージとをアクセスポイントへ送ることができる。次にアクセス端末は、アクセス端末のアクティブな組の中のアクセスポイントからの送信の順方向リンクを監視する。アクティブな組には、アクセス端末と通信しているアクセスポイントのリストが含まれている。とくに、アクセス端末は、アクティブな組の中のアクセスポイントからの順方向リンクのパイロットの信号対干渉および雑音比（ＳＩＮＲ）を、アクセス端末において受信したときに測定する。受信したパイロット信号が、所定の追加（add）の閾値より高いか、または所定の低下（drop）の閾値よりも低いときは、アクセス端末はアクセスポイントへこれを報告する。アクセスポイントからの次のメッセージは、それぞれアクティブな組をアクセスポイントへ追加するかまたはアクティブな組からアクセスポイントを削除するようアクセス端末に指示する。
【００２３】
送られるデータがないときは、アクセス端末はアイドル状態に戻って、データレート情報をアクセスポイントへ送るのを中断する。アクセス端末は、アイドル状態のときは、ページングメッセージについてアクティブな組の中のアクセスポイントからの制御チャンネルを定期的に監視する。
【００２４】
アクセス端末へデータが送られるときは、データは中央制御装置によってアクティブな組の全アクセスポイントへ送られ、各アクセスポイントに順番に記憶される。次にページングメッセージはアクセスポイントによって各制御チャンネル上をアクセス端末へ送られる。幾つかのアクセスポイントにおいて、アクセスポイントは全てのこのようなページングメッセージを同時に送り、アクセス端末がアクセスポイント間をスイッチングしているときでさえも受信を保証する。アクセス端末は、制御チャンネル上の信号を復調してデコードし、ページングメッセージを受信する。
【００２５】
ページングメッセージをデコードするとき、および各タイムスロットにおいて、データ伝送が完了するまで、アクセス端末は、アクティブな組の中のアクセスポイントからの順方向リンク信号のＳＩＮＲを、アクセス端末において受信したときに測定する。順方向リンク信号のＳＩＮＲは、各パイロット信号を測定することによって求めることができる。次にアクセス端末は、１組のパラメータに基づいて最良のアクセスポイントを選択する。パラメータの組には、現在と前のＳＩＮＲの測定値、およびビット誤り率またはパケット誤り率を含むことができる。例えば、最良のアクセスポイントは、最大のＳＩＮＲの測定値に基づいて選択することができる。次にアクセス端末は最良のアクセスポイントを識別して、データレート制御チャンネル（以下では、ＤＲＣ（Data Rate Control）チャンネルと呼ぶ）上のデータレート制御メッセージ（以下では、ＤＲＣメッセージと呼ぶ）を選択されたアクセスポイントへ送る。ＤＲＣメッセージには、要求されたデータレート、またはその代わりに順方向リンクのチャンネル品質（例えば、ＳＩＮＲの測定値自体、ビット誤り率、またはパケット誤り率）を含むことができる。例示的な実施形態では、アクセス端末は、アクセスポイントをユニークに識別するウオルシュコードを使用することによって、ＤＲＣメッセージを特定のアクセスポイントへ送ることができる。ＤＲＣメッセージの符号は、ユニークなウオルシュコードと排他的論理和（ＸＯＲ）をとられる。アクティブな組内の各アクセスポイントはアクセス端末によってユニークなウオルシュコードによって識別されるので、選択されたアクセスポイントのみが、正しいウオルシュコードを使用して、アクセス端末が実行したのと同一のＸＯＲ演算を実行し、ＤＲＣメッセージを正しくデコードすることができる。アクセスポイントは、各アクセス端末からレート制御情報を使用して、順方向リンクのデータを可能な限り高いレートで効率的に送る。
【００２６】
アクセスポイントは、各時間スロットにおいて、ページされたアクセス端末を選択することができる。次にアクセスポイントは、選択したアクセス端末へデータを送るデータレートを、アクセス端末から受信したＤＲＣメッセージの最近の値に基づいて決定する。さらに加えて、アクセスポイントは、識別用のプリアンブルをアクセス端末へ方向付けられたデータパケットへ添付することによって、特定のアクセス端末への伝送をユニークに識別する。例示的な実施形態では、プリアンブルは、アクセス端末を独特に識別するウオルシュコードを使用して分布される。
【００２７】
例示的な実施形態では、データ伝送システムの順方向リンクの容量は、アクセス端末のデータレート要求によって決定される。順方向リンクの容量の追加の利得は、指向性アンテナまたは適応空間フィルタ、あるいはこの両者を使用することによって実現することができる。指向性の伝送を行なうための例示的な方法および装置は、1995年12月20日に出願された現在審査中の米国特許出願第08/575,049号（“METHOD AND APPARATUS FOR DETERMINING THE TRANSMISSION DATA RATE IN A MULTI-USER COMMUNICATION SYSTEM”）、および1997年9月8日に出願された米国特許出願第08/925,521号（“METHOD AND APPARATUS FOR PROVIDING ORTHOGONAL SPOT BEAMS, SECTORS, AND PICOCELLS”）に記載されており、両文献は本発明の譲受人に譲渡され、ここでは参考文献として取り上げている。
【００２８】
高速閉ループ（Fast Closed-Loop, FCL）レート制御適応
ＨＤＲシステムにおいて、開ループレート適応方式では、高速フィードバックチャンネルを使用して、アクセス端末からアクセスポイントへＤＲＣメッセージを送ることができ、一方でアクセスポイントは順方向のデータリンク上でデータパケットをアクセス端末へ同時に送る。したがって、アクセス端末はアクセスポイントへ命令して、受信側のアクセス端末における実際のＳＩＮＲの条件にしたがって現在の伝送を終了するか、または拡張することができる。例示的な実施形態では、高速フィードバックチャンネルを使用して、別途記載するように特別の情報を送る。
【００２９】
ＨＤＲシステムにおける順方向リンクのデータレートは、３８．４キロビット秒から２．４５６メガビット秒まで変化する。各パケットデータ伝送の継続期間を、多数のスロットおよび他の変調パラメータについて表１に示した。この実施形態では、１スロットは１．６６６．ミリ秒の継続期間、すなわち１．２２８８Ｍｃｐｓのチップレートで送られる２０４８のチップに対応する。
【表１】
2011045098.tif 000003
【００３０】
例示的な実施形態では、マルチスロットパケットの構造は、所定のギャップスロットではなく、所定のデータスロット内にデータを保持するように変更される。例示的な実施形態にしたがってマルチスロットパケットが構成されるときは、マルチスロットパケットを受信しているアクセス端末は、他の目的のために所定のギャップスロットの継続期間を利用することができる。例えば、アクセス端末はデータスロット間の時間を使用して、これまで累積したソフトコード符号でパケットを正しくデコードできるかどうかを決定することができる。アクセス端末では、データスロットが正しくデコードされたかどうかを決定する種々の方法を使用することができ、これらの方法には、限定はしないが、データと関係するＣＲＣビットを検査するか、またはパイロットおよびトラヒック符号の受信したＳＩＮＲに基づいて予測ＳＩＮＲを推定することが含まれる。
【００３１】
図１は、マルチスロットパケットにおいて１スロットのギャップをインターレースした構造の例示的な図であり、所定のデータスロットおよび所定のギャップスロットが交互にインターレースされている。以下ではこの実施形態を１スロットのギャップパターンと呼ぶことにする。マルチスロットパケット100は、交互のスロット内にデータを含み、アクセスポイントからアクセス端末へ送られる。例えば、アクセス端末が表１のデータレート２にしたがって送っているときは、マルチスロットパケット内には８つのデータがあり、データはスロット１、３、５、７、９、１１、１３、１５内に保持されている。スロット２、４、６、８、１０、１２、１４、１６は、マルチスロットパケットの部分を送るのに使用されない。空のスロットと関係する時間期間内では、アクセス端末からのＤＲＣメッセージをアクセスポイントへ送ることができる。この例では、８つのスロットパケットの例の伝送に関係するギャップスロットの間に、アクセスポイントが、別のデータパケットを、同じか、または異なるアクセス端末へ送ることができるのは明らかである。
【００３２】
この実施形態では、ＤＲＣメッセージに加えて、アクセス端末の受信状態を示す表示メッセージをアクセス端末からアクセスポイントへ送ることができ、このような表示メッセージには、限定はしないが、停止（ＳＴＯＰ）表示メッセージまたは拡張（ＥＸＴＥＮＤ、ＥＸＴ）表示メッセージを含むことができる。この実施形態についてここに記載した表示メッセージの使用は、次に記載する別の実施形態に応用できることに注意すべきである。
【００３３】
ＨＤＲシステムでは、３０７．２キロビット秒以下のデータレートでパケットで送られるコード符号は、６１４．４キロビット秒でパケットにおいて送られるコード符号の反復（repeat）である。一般的に、所与のスロットで送られるコード符号のほとんどは、パケットの第１のスロットにおいて送られるコード符号をずらして反復したものである。データレートがより遅いときは、パケットの所与の誤り率は低く、ＳＩＮＲがより低くなることが必要となる。したがって、アクセス端末が、チャンネル状態が好ましくないと決定すると、アクセス端末はＤＲＣメッセージを送って、６１４．４キロビット秒未満のデータレートを要求する。アクセスポイントは、図１に記載した構造にしたがってマルチスロットパケットを送る。しかしながら、実際のチャンネル状態が向上して、アクセス端末に必要な反復コード符号が、開ループレート適応アルゴリズムによって最初に指定されていたよりも、より少なくなるとき、図１に記載した構造では、アクセス端末は、逆方向リンクのフィードバックチャンネル上で停止表示メッセージのような表示メッセージを送ることができる。
【００３４】
図２は、停止表示メッセージの使用を示す図である。アクセスポイントは、図１のインターリーブされた構造にしたがってデータパケット200を送る。スロットｎ＋２およびｎ＋４は、データを保持しているスロットである。ＤＲＣメッセージ210は、スロット期間ｎ−１の間に受信され、スロットｎ、ｎ＋２、ｎ＋４、およびｎ＋６内のデータは、要求データレートにしたがって送られるようにスケジュールされる。アクセス端末は、スロットｎ、ｎ＋２、およびｎ＋４内のコード符号の反復を受信すると、ｎ＋６によって保持されている反復を受信しなくても、完全なデータを十分に決定できるので、アクセス端末は停止表示メッセージ220を送る。したがって、アクセス端末は、新しいデータを受信できるようになっている。停止表示メッセージ220は、スロットｎ＋５の間にアクセスポイントによって受信される。停止表示メッセージ220を受信すると、アクセスポイントは、残りの割り当てられたデータスロットｎ＋６内のデータパケットの反復を送るのを止めて、スロットｎ＋６内の新しいデータパケットを送り始める。未使用の割り当てられたスロットには、任意のアクセス端末に方向付けられた別のパケットの伝送を再び割り振ることができる。このやり方では、閉ループレート適応は、最初のＤＲＣメッセージにおいて推定のチャンネル状態に基づいて指定されたデータレートよりも高いデータレートを実際のチャンネル状態が許可するときに、資源を最適化するように行なわれる。上述の例では、停止表示を送ることによって、最初の要求データレートよりも４／３倍高い有効データレートが実現される。
【００３５】
この実施形態の別の態様では、実際のチャンネル状態が推定のチャンネル状態よりも悪くなるたびに、表示メッセージをアクセス端末からアクセスポイントへ送って、コード符号のより多くの反復を可能にすることができる。表示メッセージは、拡張表示メッセージと呼ばれることがある。また拡張表示メッセージは、１つのスロットパケットがアクセス端末によって不正確にデコードされたときに使用される。この場合は、アクセス端末は拡張表示メッセージを送って、指定されたスロット内に保持されているデータの再伝送を要求する。図１の構造では、アクセスポイントは、拡張表示メッセージをデコードした後に、ちょうどその次のスロット（ここでは拡張データスロットと呼ばれる）上のデータを再び送ることができる。図３は、拡張表示メッセージをこのように使用したことを示している。データパケット300は、図１の構造にしたがって構成されており、交互のスロットはギャップスロットを示している。アクセスポイントによって受信されるＤＲＣメッセージ310は、データスロットｎにおいて送られるデータに好ましいレートを与える。データは、スロットｎ＋２においても要求データレートにしたがって送られる。しかしながら、アクセスポイントによって受信される拡張表示メッセージ320は、スロットｎ＋２内に保持されているデータをデコードするときの誤りのために、データスロットｎ＋４においてデータの反復を命令する。
【００３６】
この実施形態の別の態様では、推定のＳＩＮＲにおいて、パケットの成功率が下がった、例えばパケットの成功率が８０ないし９０％になったことが示されるとき、単一スロットのパケットが要求される。アクセス端末は、受信した単一スロットのパケットに基づいて拡張表示メッセージをアクセスポイントへ送り、第１の単一スロットのパケットが正しくデコードされなかったときは、パケットの再伝送を要求することができる。この実施形態の態様の長所は、データのスループットレートが向上したことであり、これは高データレートの最初の伝送によって実現される。この実施形態にしたがって、実際のチャンネル状態にしたがって高データレートの伝送を調節することができる。図３は、本発明のこの態様を示している。ＤＲＣのメッセージ310が３０７．２キロビット秒のデータ要求を送るとき、データはスロットｎおよびｎ＋２において要求レートで送られる。しかしながら、アクセス端末がチャンネル状態の向上を検出するときは、アクセス端末は、ＤＲＣメッセージ330を送って、１．２メガビット秒のデータ要求を伝えることができる。次にアクセスポイントはスロットｎ＋５内の単一のスロットパケットを１．２メガビット秒で送る。アクセス端末は、ギャップスロットｎ＋６と関係する時間中に、チャンネル状態の悪化を検出し、スロットｎ＋５内のデータの再伝送を必要とする。拡張メッセージ340が送られ、アクセスポイントはスロットｎ＋５からのデータをスロットｎ＋７において再び送る。
【００３７】
１つの例示的な実施形態では、アクセス端末は、パケットごとに拡張表示メッセージをＮＥＸＴ(i)まで（なお、ｉ＝１，２，．．．，１１であり、表１に示したデータレートの１つに対応する）送ることができる。
【００３８】
閉ループレート適応のための上述の手続きは、データパケットが１または２つのスロットを含むときの伝送の例である。拡張データスロットは、前に送られたコード符号の反復であるコード符号を保持し、したがって拡張データスロット内のコード符号は、信頼性を向上するために、デコーディングステップに先立って、前に受信したコード符号と効果的にソフト結合（soft-combine）されることに注意すべきである。拡張データスロット内で送られるこのコード符号の識別は、実行の細部であり、本発明の技術的範囲に影響を与えない。
【００３９】
上述の高速閉ループレート適応方法は、開ループレート適応方式によって使用されるのと同じ高速フィードバックチャンネルに依存して実行できるが、本発明の技術的範囲を変更せずに、閉ループレート適応方法を実行するのに他の別のチャンネルを使用できることに注意すべきである。
【００４０】
構成の別の態様は、表示メッセージの形成である。システム内に２つのみの表示メッセージ、すなわち停止表示メッセージおよび拡張表示メッセージが示されている実施形態では、システムは、表示メッセージを伝えるのに１ビットのみを必要とする。ＤＲＣメッセージは、レート選択およびアクセスポイント識別のために多数のビットを保持しているが、システムが使用の際にそのビットのコンテキストを区別するときは、停止表示メッセージまたは拡張表示メッセージを表示することが必要である。例えば、表示ビットはＦＣＬビットとして示すことができる。アクセスポイントがアクセス端末からのＦＣＬビットの存在をスロットｎにおいて検出するとき、このアクセス端末へ方向付けられたマルチスロットパケットのデータスロットが、スロットｎ＋１において送られるようにスケジュールされている場合は、アクセスポイントはＦＣＬビットを停止表示メッセージとして解釈する。しかしながら、このアクセス端末へスケジュールされたパケットが、要求データレートにしたがって、ちょうどスロットｎ＋１において終了するときは、アクセスポイントはＦＣＬビットを拡張表示メッセージとして解釈する。その代わりに、前の拡張表示メッセージが、特定のパケットのスロットを、ちょうどスロットｎ−１において再伝送するように伝え、ＮＥＸＴよりも少ない拡張表示メッセージがこのパケットについて処理されたときは、アクセスポイントはＦＣＬビットを同様に拡張表示メッセージとして解釈することができる。これらの情況のいずれも適用できないときは、このビットはフォールスアラームとして捨てられる。
【００４１】
別の実施形態では、表示メッセージは、逆のＤＲＣのコードワードの１つを使用することによって、開ループのＤＲＣメッセージにおいて逆の同じフィードバックチャンネル上を送られる。しかしながら、この実施形態では、アクセス端末は、一度に１つのみのメッセージを送ることができるので、ＤＲＣメッセージと、停止表示メッセージのような表示メッセージとを同時に送ることはできない。したがって、アクセス端末は、停止表示が送られた後に解放される第１のスロットの間は、別のパケットを供給されるのを妨げられることになる。しかしながら、他のアクセス端末は、第１のスロットの解放中に供給される。アクセスポイントが多くのアクセス端末へ供給するときは、所与のアクセス端末のパケットが連続的にスケジュールされる確率が低減するので、この実施形態の効果は最大化される。
【００４２】
別の実施形態では、逆方向リンクに特別のウオルシュ関数を使用して生成できる別々の割り当てられたチャンネル上で表示メッセージを送ることができる。このアプローチは、アクセス端末がＦＣＬチャンネルの信頼性を所望のレベルまで制御できるといった特別の長所をもつ。上述の実施形態では、所与の時間に１つのアクセス端末のみが伝送を認められる。したがって、逆方向リンクの容量に影響を与えることなく、表示メッセージを送るために割り当てられた電力を増加することが実行可能である。
【００４３】
既に記載したように、アクセスポイントは、ギャップスロット中に他のアクセス端末へデータを送ることによって効率を最大化することができる。
【００４４】
図４は、マルチスロットパケットにおける例示的なインターレース形構造の図であり、所定のデータスロットおよび所定のギャップスロットは一様なＮスロットのパターンでインターレースされている。この実施形態は、以下では一様なＮスロットのギャップパターンと呼ばれる。マルチスロットパケット400は、各Ｎ番目のスロット内にデータを含み、アクセスポイントからアクセス端末へ送られる。Ｎ−１スロットはギャップスロットであり、アクセス端末はギャップスロットと関係する遅延を使用して、前のデータスロットにおいて受信したデータのデコーディングを試みる。この技術においてよく知られているように、データビットのブロックはコード化して送られ、データを受信すると、送られたデータ内の誤りの存在を決定することができる。このようなコード化技術の１つの例は、巡回冗長検査（cyclic redundancy check, CRC）の符号の生成である。この実施形態の１つの態様では、アクセス端末は、ギャップを一様に挿入することによって生じる遅延を使用して、ＣＲＣビットをデコードし、かつデータスロットをデコードするのに成功したかどうかを決定することができる。アクセス端末は、ＳＩＮＲの推定値に基づいて表示メッセージを送るのではなく、データスロットをデコードするのに実際に成功したか、または失敗したかに基づいて、表示メッセージを送ることができる。データをデコードするのに必要な時間は通常は、パケット内に含まれている情報ビット数に比例することに注意すべきである。したがって、表１に示されているように、データレートがより高速になると、パケットをデコーディングするのにより長い時間が必要となる。Ｎの最適値を決定する場合は、インターレースしている期間を選択するときに、最悪の場合の遅延を考慮しなければならない。
【００４５】
この実施形態の別の態様では、アクセス端末はギャップを一様に挿入することによって生じる遅延を使用して、データスロットの受信中の推定のＳＩＮＲを決定して、ＤＲＣメッセージを効果的に送ることができる。
【００４６】
さらに加えて、マルチスロットパケット内に特別の遅延スロットを挿入すると、アクセス端末は追加のメッセージをアクセス端末へ送ることができる。
【００４７】
１スロットのギャップパターンの実施形態において表示メッセージを送るのと類似したやり方で、一様なＮスロットのギャップパターンにおいて停止表示メッセージおよび拡張表示メッセージを使用することができる。さらに加えて、システムがビットのコンテキストを使用時に区別するときは、１ビットのみを使用して表示メッセージの形成を実現することができる。例えば、表示ビットはＦＣＬビットとして示すことができる。アクセスポイントがアクセス端末からＦＣＬビットの存在をスロットｎにおいて検出するときは、このアクセス端末へ方向付けられたマルチスロットのパケットのデータスロットがスロットｎ＋１において送ることをスケジュールされている場合に、アクセスポイントはＦＣＬビットを停止表示メッセージとして解釈する。しかしながらこのアクセス端末へスケジュールされたパケットが、要求データレートにしたがって、ちょうどスロットｎ−ｐ＋１において終了するときは（なお、ｐはデータスロットをアクセス端末に割り当てられた期間である）、アクセスポイントはＦＣＬビットを拡張表示メッセージとして解釈する。その代わりに、前の拡張表示メッセージが、ちょうどスロットｎ−ｐ＋１において指定されたパケットのスロットを再伝送することを伝え、ＮＥＸＴよりも少ない拡張表示メッセージがこのパケットについて処理されているときは、アクセスポイントはＦＣＬビットを同様に拡張表示メッセージとして解釈することができる。これらの情況の何れも適用可能でないときは、ビットをフォールスアラームとして捨てることができる。
【００４８】
図５はマルチスロットパケットのための別の例示的なインターレース形構造の図であり、なお、所定のデータスロットおよび所定のギャップスロットは一様でないスロットパターンでインターレースされている。以下では、本発明のこの実施形態は一様でないＮスロットのギャップパターンと呼ばれる。マルチスロットパケット500は、データスロット間でインターレースされている遅延がデータレートの関数であるように構成されている。レートｉのパケットのデータスロット間に必要なギャップスロット数、すなわちＮ(i)は、全てのアクセス端末とアクセスポイントとによって定められ、知られている。この実施形態では、各データレートのパケットの待ち時間を最小化できるが、パケットを送ることをスケジュールするときに、アクセスポイントが満たさなければならない一定数の制約がある。１つのこのような制約は、データスロットが重複するのを避けることである。
【００４９】
一様でないスロットパターンの例として、図５のＤＲＣメッセージを使用して、データを交互に送ることができる。この例では、ＤＲＣメッセージ510は、スロットｎ−２、ｎ＋２、およびｎ＋６において送られるデータを２０４．８キロビット秒で送ることを要求している。ＤＲＣメッセージ520は、データをスロットｎ＋１、ｎ＋３において９２１．６キロビット秒で送ることを要求している。ＤＲＣメッセージ530は、データをスロットｎ＋８において１．２メガビット秒で送ることを要求している。個々のＤＲＣメッセージは定期的に送られるが、定期的な伝送を組合せて、不定期で、一様でないパターンが生成される。ＤＲＣメッセージ520によって開始されるデータパターンについて制約があることに注意すべきである。対のデータスロット間に１スロットのギャップをもつパターンにおいて、この２つのスロットのデータパケットは、ｎではなく、ｎ＋１またはｎ−１において伝送を開始するようにスケジュールされている。パターンがｎから始まるときは、現在のスロットｎ＋３のデータはスロットｎ＋２において送られ、ＤＲＣメッセージ510でスケジュールされたデータスロットパターンと重複する。
【００５０】
１スロットのギャップパターンの実施形態において表示メッセージの伝送に類似したやり方で、一様でないＮスロットのギャップパターンにおいて、停止表示メッセージおよび拡張表示メッセージを使用できる。さらに加えて、システムがビットのコンテキストを使用の際に区別するときは、１ビットのみを使用して表示メッセージを形成することができる。例えば、表示ビットはＦＣＬビットとして示すことができる。アクセスポイントがアクセス端末からＦＣＬビットの存在をスロットｎにおいて検出するときは、このアクセス端末へ方向付けられたマルチスロットパケットのデータスロットがスロットｎ＋１において送ることをスケジュールされている場合に、アクセスポイントはＦＣＬビットを停止表示メッセージとして解釈する。しかしながら、アクセス端末へスケジュールされているパケットが、要求データレートにしたがって、ちょうどｎ−Ｎ(i)において終了するとき（なお、Ｎ(i)はデータスロット間に必要なギャップスロットの数であり、ｉはデータレートの指数を示す）、アクセスポイントはＦＣＬビットを拡張表示メッセージとして解釈する。その代わりに、前の拡張表示メッセージが、ちょうどスロットｎ−Ｎ(i)において指定されたパケットのスロットを再伝送することを伝え、ＮＥＳＴより少ない拡張表示メッセージがこのパケットについて処理されているときは、これらのアクセスポイントはＦＣＬビットを同様に拡張表示メッセージとして解釈することができる。これらの情況の何れも適用できないときは、ビットをフォールスアラームとして捨てることができる。
【００５１】
一様でないギャップパターン上で一様なギャップパターンを使用するとき、および一様なギャップ上で一様でないギャップパターンを使用するときに、種々の長所が実現される。一様なスロットのギャップパターンを使用しているシステムは、全てのスロットについて交互の周期的なパターンによって最大のスロット効率を実現できる。例えば、一様なパターンでは、１つのアクセス端末はスロットｎ、ｎ＋４、ｎ＋８、．．．を割り当てられ、第２のアクセス端末はスロットｎ＋１、ｎ＋５、ｎ＋９、．．．を割り当てられ、第３のアクセス端末はスロットｎ＋２、ｎ＋６、ｎ＋１０、．．．を割り当てられ、第４のアクセス端末はスロットｎ＋３、ｎ＋７、ｎ＋１１、．．．を割り当てられる。このやり方では、ネットワークの効率を向上するために、全てのスロットが十分に使用される。しかしながら、一定の環境では、一様でないスロットのギャップパターンを構成することがより望ましい。例えば、高速のデータ伝送中に、１スロットのみのデータが大量のコード符号と共に送られる。このような場合は、アクセス端末は、受信したコード符号をデコードするのに比較的に長い継続期間を必要とする。したがって、一様なスロットパターンの構成では、大量のギャップスロットのために対応する長い期間が必要であり、ゆえに効率が悪くなる。この環境のもとでは、一様でないギャップスロットのパターンは望ましくない。
【００５２】
図６は、ＨＤＲシステムにおいてＦＣＬレートの制御を行なうための装置のブロック図である。アクセス端末701は、ＳＩＮＲの推定素子722においてアクセスポイント700からの順方向リンクの受信信号の強さに基づいてＳＩＮＲの推定および予測を行なう。ＳＩＮＲの推定素子722からの結果は開ループレート制御素子723へ送られ、開ループレート制御素子723では、ＳＩＮＲの推定素子722からの結果にしたがってデータレートを選択するために、開ループレート制御アルゴリズムを実行する。開ループレート制御素子723はＤＲＣメッセージを生成し、ＤＲＣメッセージは逆方向リンク713上でアクセスポイント700へ送られる。ＤＲＣメッセージがＤＲＣデコーダ713においてデコードされ、その結果がスケジューラ712へ送られると、アクセスポイント700は、ＤＲＣメッセージのデコーディング後で、スロットにおいて指定された要求レートでデータ伝送をスケジュールすることができる。上述の素子は、上述の開ループレート適応アルゴリズムを実行していることに注意すべきである。スケジューラ712は、ＦＣＬレート制御プロセスを実行して、上述のようなインターレースされたパケットを生成し、閉ループレート制御素子725は、アクセス端末701が選択的にＦＣＬのレートを適応できるようにする。
【００５３】
図６では、１スロットのギャップパターンがスケジューラ712によって２つのアクセス端末を同時に供給するように構成されている。したがって、アクセスポイント700は２つの独立のバッファ、すなわち伝送バッファＡ710および伝送バッファＢ711を保持して、新しいスロットの反復またはスロットの拡張を生成するのに必要なコード符号を保持する。ここに記載した実施形態にしたがってより多くの伝送バッファを使用できることに注意すべきである。
【００５４】
アクセスポイント700はデータパケットをアクセス端末701へ送る。データパケットを受信しているとき、アクセス端末701はＳＩＮＲ推定素子722からの結果を閉ループレート制御素子725へ供給するか、または、その代わりに、アクセス端末701はデコーダ720からの結果を閉ループレート制御素子725へ供給する。バッファ721を挿入して、デコーダ720から、上位層プロトコルへデコードされた情報を順番に送るのを助けてもよいが、これについては本明細書には記載されていない。閉ループレート制御素子725は、デコーダ720またはＳＩＮＲの推定素子722からの結果を使用して、表示メッセージを生成するかどうかを決定することができる。表示メッセージは、逆方向リンク上でアクセスポイント700へ送られ、ＦＣＬ表示デコーダ714は表示メッセージをデコードし、デコードしたメッセージをスケジューラ712へ供給する。アクセスポイント700におけるスケジューラ712、ＤＲＣデコーダ713、およびＦＣＬ表示デコーダ714は別々の構成要素として構成されるか、または単一のプロセッサまたはメモリを使用して構成される。同様に、アクセス端末701内のデコーダ720、バッファ721、ＳＩＮＲ推定素子722、開ループレート制御素子723、および閉ループ制御素子725は、別々の素子として構成されるか、または単一のプロセッサ上でメモリと接続してもよい。
【００５５】
外部ループレート制御素子724を挿入して、長期間の誤り統計（long term error statistics）を計算することができる。このような統計の計算結果を使用して、開ループレート制御素子723と閉ループレート制御素子725との両者を調節することができる。
【００５６】
ここに記載したように、ＦＣＬレート適応方法では、停止表示メッセージまたは拡張表示メッセージのような表示メッセージをアクセスポイントへ送ることを決定する。この方法では高速修正機構を用意して、開ループレート制御方式の不正確さを補償する。パケットをデコードするのに十分な情報があるときは、マルチスロットパケットの伝送を停止することができる。その代わりに、デコーディングの成功が保証されないときは、実行中のマルチスロットパケットの１スロットを反復することができる。
【００５７】
高レートのパケットのデコーディングに失敗したとき、ＦＣＬレート適応方法では、拡張したデータスロットを送ることができるので、開ループレート制御方式を１スロットのパケットをより高いレートで要求することに積極的（aggressive）にすることによって、ＦＣＬレート適応方法はスループットレートも向上する。ＦＣＬレート適応方法が、開ループレート制御アルゴリズムによって予測よりも早くマルチスロットのパケットを停止する時もスループットを向上する。
【００５８】
例えば、開ループレート制御方式では、１つのスロットパケットを使用して高レートを選択し、パケット誤り率（packet error rate, PER）が第１のスロットの終わりでは約１５％で、かつ拡張したスロットの終わりではほぼ１％であるように、開ループレート制御方式を設計することができる。拡張スロットは、時間ダイバーシティ利得（time diversity gain）およびパンクチャリング損失低減（puncturing loss reduction）に加えて、平均ＳＩＮＲの少なくとも３デシベルを追加することになる。マルチスロットパケットは、開ループレート制御アルゴリズムでは、パケットの正常の終わりにおいて１％のＰＥＲを目標とすることができる。したがって、スロット数を低減すると、パケットの成功率は高くなり、これは予測レートよりも高いレートに相当する。さらに加えて、拡張スロットは、必要であれば、成功のデコーディングに特別なマージンを与えて、遅延の再伝送の要件を低減する。最適効率のＳＩＮＲ値は、ネットワークにおいて実行される種々の変調技術にしたがって変化するので、種々のＳＩＮＲ値を閾値にできることは、ここに記載した実施形態の技術的範囲を制限することを意図していないことに注意すべきである。
【００５９】
さらに加えて、ＳＩＮＲの計算に基づいて停止、拡張、またはＦＣＬ以外の表示を生成するかどうかの決定が、あまり積極的（aggressive）でないか、さもなければパケット誤り率は、パケットを正しくデコードしたと閉ループレート制御アルゴリズムが誤って断定する確率によって決められる。
【００６０】
上述の好ましい実施形態は、当業者が本発明を生成または使用できるようにするために与えられている。これらの実施形態に対する種々の変更は当業者には容易に明らかであり、ここに定義した全体的な原理は、発明の能力（inventive faculty）を使用することなく、他の実施形態に適用することができる。したがって、本発明は、ここに示した実施形態に制限されることを意図されていないが、ここに開示した原理および新規性に一致する最も幅広い範囲にしたがう。
【図１】
2011045098.tif 000004
【図２】
2011045098.tif 000005
【図３】
2011045098.tif 000006
【図４】
2011045098.tif 000007
【図５】
2011045098.tif 000008
【図６】
2011045098.tif 000009
【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
通信ネットワークのデータスループットレートを高める方法であって、
アクセスポイントによって送信された複数のデータスロットをアクセス端末において受信するステップと、なお、前記複数のデータスロットは複数のデータスロットのサブセットに分割されており、前記サブセットはマルチスロットパケットを形成するために互いにインターリーブされており、前記サブセットは、それぞれが異なるユーザに関連付けられたそれぞれ異なるデータセットに関連付けられており、前記アクセス端末は第１の前記ユーザに関連付けられており、前記第１のユーザは第１の前記サブセットに関連付けられており、前記第１のサブセット以外の前記サブセットの前記データスロットは、前記第１のユーザに関してギャップスロットを定義する；
前記第１のサブセットのデータスロットを前記アクセス端末において検出するステップと；
前記ギャップスロットのうちの１つに関連付けられた期間に、前記第１のサブセットに関連付けられたデータセットの受信状態を示す表示メッセージを、前記アクセス端末から前記アクセスポイントへ送信するステップと；
を備える方法。
【請求項２】
前記サブセットのそれぞれの最初に送信されるデータスロットは予め定められたデータを含んでおり、前記サブセットのそれぞれのその後に送信されるデータスロットは前記予め定められたデータの反復を含む、請求項１の方法。
【請求項３】
前記サブセットはそれぞれ前記マルチスロットパケット内で周期的パターンを定義する、請求項１の方法。
【請求項４】
前記表示メッセージは、前記第１のサブセットの予定された送信が完了している場合、前記第１のサブセットに関連付けられた前記データセットがアクセス端末において成功裏に受信されなかったことを意味するものと解釈される、請求項１の方法。
【請求項５】
前記表示メッセージは、前記第１のサブセットの予定された送信が完了していない場合、前記第１のサブセットに関連付けられた前記データセットがアクセス端末において成功裏に受信されたことを意味するものと解釈される、請求項１の方法。
【請求項６】
前記マルチスロットパケットは完全に前記サブセットの前記データスロットからなる、請求項１の方法。
【請求項７】
通信ネットワークのデータスループットレートを高める方法であって、
アクセスポイントにおいて複数のデータスロットを生成するステップと、なお、前記複数のデータスロットは複数のデータスロットのサブセットに分割されており、前記サブセットはマルチスロットパケットを形成するために互いにインターリーブされており、前記サブセットは、それぞれが異なるユーザに関連付けられたそれぞれ異なるデータセットに関連付けられており、第１の前記ユーザはアクセス端末及び第１の前記サブセットに関連付けられており、前記第１のサブセット以外の前記サブセットの前記データスロットは前記第１のユーザに関してギャップスロットを定義する；
前記パケットを前記アクセス端末から前記アクセスポイントへ送信するステップと；
前記アクセスポイントにおいて、前記ギャップスロットのうちの１つに関連付けられた期間に前記アクセス端末によって送信された表示メッセージを受信するステップと、なお、前記表示メッセージは前記第１のサブセットに関連付けられたデータセットの受信状態を示す；
を備える方法。
【請求項８】
前記サブセットのそれぞれの最初に送信されるデータスロットは予め定められたデータを含んでおり、前記サブセットのそれぞれのその後に送信されるデータスロットは前記予め定められたデータの反復を含む、請求項７の方法。
【請求項９】
前記サブセットはそれぞれ前記マルチスロットパケット内で周期的パターンを定義する、請求項７の方法。
【請求項１０】
前記表示メッセージは、前記第１のサブセットの予定された送信が完了している場合、前記第１のサブセットに関連付けられた前記データセットがアクセス端末において成功裏に受信されなかったことを意味するものと解釈される、請求項７の方法。
【請求項１１】
前記表示メッセージは、前記第１のサブセットの予定された送信が完了していない場合、前記第１のサブセットに関連付けられた前記データセットがアクセス端末において成功裏に受信されたことを意味するものと解釈される、請求項７の方法。
【請求項１２】
前記マルチスロットパケットは完全に前記サブセットの前記データスロットからなる、請求項７の方法。
【請求項１３】
通信ネットワークのデータスループットレートを高めるためのアクセスポイントであって、
複数のデータスロットを生成する手段と、なお、前記複数のデータスロットは複数のデータスロットのサブセットに分割されており、前記サブセットはマルチスロットパケットを形成するために互いにインターリーブされており、前記サブセットは、それぞれが異なるユーザに関連付けられたそれぞれ異なるデータセットに関連付けられており、第１の前記ユーザはアクセス端末及び第１の前記サブセットに関連付けられており、前記第１のサブセット以外の前記サブセットの前記データスロットは前記第１のユーザに関してギャップスロットを定義する；
前記パケットを前記アクセス端末へ送信する手段と；
前記ギャップスロットのうちの１つに関連付けられた期間に前記アクセス端末によって送信された表示メッセージを受信する手段と、なお、前記表示メッセージは前記第１のサブセットに関連付けられたデータセットの受信状態を示す；
を備えるアクセスポイント。
【請求項１４】
前記サブセットはそれぞれ前記マルチスロットパケット内で周期的パターンを定義する、請求項１３のアクセスポイント。
【請求項１５】
前記表示メッセージは、前記第１のサブセットの予定された送信が完了している場合、前記第１のサブセットに関連付けられた前記データセットがアクセス端末において成功裏に受信されなかったことを意味するものと解釈され、前記表示メッセージは、前記第１のサブセットの予定された送信が完了していない場合、前記第１のサブセットに関連付けられた前記データセットがアクセス端末において成功裏に受信されたことを意味するものと解釈される、請求項１３のアクセスポイント。
【請求項１６】
通信ネットワークのデータスループットレートを高めるためのアクセス端末であって、
アクセスポイントによって送信された複数のデータスロットを受信する手段と、なお、前記複数のデータスロットは複数のデータスロットのサブセットに分割されており、前記サブセットはマルチスロットパケットを形成するために互いにインターリーブされており、前記サブセットは、それぞれが異なるユーザに関連付けられたそれぞれ異なるデータセットに関連付けられており、前記アクセス端末は第１の前記ユーザに関連付けられており、前記第１のユーザは第１の前記サブセットに関連付けられており、前記第１のサブセット以外の前記サブセットの前記データスロットは、前記第１のユーザに関してギャップスロットを定義する；
前記第１のサブセットのデータスロットを検出する手段と；
前記ギャップスロットのうちの１つに関連付けられた期間に、前記第１のサブセットに関連付けられたデータセットの受信状態を示す表示メッセージを、前記アクセスポイントへ送信する手段と；
を備えるアクセス端末。
【請求項１７】
前記サブセットはそれぞれ前記マルチスロットパケット内で周期的パターンを定義する、請求項１６のアクセス端末。
【請求項１８】
前記表示メッセージは、前記第１のサブセットの予定された送信が完了している場合、前記第１のサブセットに関連付けられた前記データセットがアクセス端末において成功裏に受信されなかったことを意味するものと解釈され、前記表示メッセージは、前記第１のサブセットの予定された送信が完了していない場合、前記第１のサブセットに関連付けられた前記データセットがアクセス端末において成功裏に受信されたことを意味するものと解釈される、請求項１６のアクセス端末。
【手続補正２】
【補正対象書類名】明細書
【補正対象項目名】００６０
【補正方法】変更
【補正の内容】
【００６０】
上述の好ましい実施形態は、当業者が本発明を生成または使用できるようにするために与えられている。これらの実施形態に対する種々の変更は当業者には容易に明らかであり、ここに定義した全体的な原理は、発明の能力（inventive faculty）を使用することなく、他の実施形態に適用することができる。したがって、本発明は、ここに示した実施形態に制限されることを意図されていないが、ここに開示した原理および新規性に一致する最も幅広い範囲にしたがう。
以下に、本願発明の当初の特許請求の範囲に記載された発明を付記する。
［１］
通信ネットワークのデータスループットレートを高める方法であって、
アクセスポイントにおいて複数のデータスロットおよび複数のギャップスロットを生成するステップと、なお、前記複数のデータスロットは、複数のパケットを形成するために複数のギャップスロットでインターリーブされる；
前記複数のパケットをアクセス端末へ送るステップと；
前記アクセス端末において前記複数のパケットを検出するステップと、なお、前記アクセス端末は、受信状態を示す少なくとも1つの表示メッセージを前記アクセスポイントへ送信する；
を備える方法。
［２］
前記複数のデータスロットは、交互のパターンで複数のギャップスロットにインターリーブされている、［１］記載の方法。
［３］
前記複数のデータスロットは、各Ｎ番目のスロットがギャップスロットになるように、複数のギャップスロットでインターリーブされている、［１］記載の方法。
［４］
前記複数のデータスロットは、非周期的な構造にしたがって複数のギャップスロットでインターリーブされている、［１］記載の方法。
［５］
アクセスポイントからアクセス端末へ送るためのデータスループットレートを高める方法であって、
前記アクセス端末へ送る複数のデータパケットをアクセスポイントにおいて生成するステップと、なお、前記複数のデータパケットの各々は少なくとも1つのスロットを含んでおり、前記アクセスポイントは前記複数の各データパケットの中の各スロットをデータスロットまたはギャップスロットとして示す；
最初のデータレートで前記複数のデータパケットを前記アクセス端末へ送信するステップと；
前記アクセス端末において１組の推定チャンネルパラメータを決定するステップと；
前記推定チャンネルパラメータの組に基づいてデータ要求メッセージを前記アクセスポイントへ送信するステップと、なお、前記複数のデータパケットを前記アクセス端末へ送るステップは、データ要求メッセージにしたがって実行される；
前記アクセス端末において実際のチャンネルパラメータの組を決定するステップと；
前記実際のチャンネルパラメータの組が所定の品質量をパスするとき、少なくとも１つのギャップスロットと関係する時間期間中に前記アクセスポイントへ表示メッセージを送るステップと；
前記アクセスポイントにおいて受信した表示メッセージにしたがって、前記アクセス端末へ送るための次のデータパケットを変更するステップと；
を備える方法。
［６］
前記実際のチャンネルパラメータの組は、前記推定チャンネルパラメータの組と関係するノイズレベルよりも低いノイズレベルを示すとき、前記表示メッセージは停止表示メッセージである、［５］記載の方法。
［７］
前記実際のチャンネルパラメータの組は、前記推定チャンネルパラメータの組と関係するノイズレベルよりも高いノイズレベルを示すとき、前記表示メッセージは拡張表示メッセージである、［５］記載の方法。
［８］
前記表示メッセージはスロットｎ中に受信したビットを備えており、前記アクセスポイントは交互のパターンにしたがって前記複数のデータパケット内の各スロットを指示し、前記アクセス端末へ送る次のデータパケットを変更するステップは、
前記複数のデータパケットの１つの反復がスロットｎ＋１へ既にスケジュールされているときに、ビットが伝送終了の要求であることを決定するステップと；
既に送られたパケットがスロットｎ−１において伝送を終了したときは、ビットが再伝送要求であることを決定するステップと；
前の表示ビットによって、スロットｎ−１において既に送られたパケットの再伝送が行なわれ、かつ所定数よりも少ない再伝送が複数のデータパケットについて既に処理されているとき、ビットが再伝送の要求であることを決定するステップと；
条件が満たされていないときは、ビットがフォールスアラームであることを決定するステップと；
を備える、［５］記載の方法。
［９］
前記表示メッセージはスロットｎ中に受信したビットを備えており、前記アクセスポイントは、期間ｐにしたがって複数のデータパケット内の各スロットを指定し、前記アクセス端末へ送信するための次のデータパケットを変更するステップは、
前記複数のデータパケットの１つの反復がスロットｎ＋１へ既にスケジュールされているとき、ビットが伝送終了の要求であることを決定するステップと；
既に送られたパケットがスロットｎ−ｐ＋１において伝送を終了したときに、ビットが再伝送の要求であることを決定するステップと；
前の表示ビットによって、スロットｎ−ｐ＋１において既に送られたパケットの再伝送が行なわれ、かつ所定数よりも少ない再伝送が複数のデータパケットへ既に処理されているとき、ビットが再伝送の要求であることを決定するステップと；
条件が満たされていないときは、ビットがフォールスアラームであることを決定するステップと；
を備える、［５］記載の方法。
［１０］
前記表示メッセージはスロットｎ中に受信したビットを備え、前記アクセス端末へ送信するための次のデータパケットを変更するステップは、
前記複数のデータパケットの１つの反復がスロットｎ＋１へ既にスケジュールされているとき、ビットが伝送終了の要求であることを決定するステップと；
既に送られたパケットがスロットｎ−Ｎ(i)において伝送を終了したとき、ビットが再伝送の要求であることを決定するステップと、なお、Ｎ(i)はデータスロット間のギャップスロット数、ｉはデータレート指数を示す；
前の表示ビットによって、スロットｎ−Ｎ(i)において既に送信されたパケットの再伝送が行なわれ、かつ所定数よりも少ない再伝送が複数のデータパケットにおいて既に処理されているときに、ビットが再伝送の要求であることを決定するステップと；
条件が満たされていないときは、ビットがフォールスアラームであることを決定するステップと；
を備える、［５］記載の方法。
［１１］
前記実際のチャンネルパラメータの組は、信号対干渉および雑音比を備える、［５］記載の方法。
［１２］
前記実際のチャンネルパラメータの組を決定するステップは、パケットの誤り事象を決定するために前記アクセス端末において前記複数のデータパケットをデコードするステップを備え、前記パケットの誤り事象は、良好なデータパケットの受信か、または不良のデータパケットの受信かを示す、［５］記載の方法。
［１３］
前記アクセス端末において前記複数のデータパケットをデコードするステップは、
複数の巡回冗長検査（cyclic redundancy check, CRC）のビットをデコードするステップと；
前記デコードされた複数の巡回冗長検査のビットを推定品質測度と比較するステップと、なお、前記推定品質測度は、前記推定チャンネルパラメータの組から計算される；
を備える、［１２］記載の方法。
［１４］
前記アクセスポイントへ表示メッセージを送信するステップは、
伝送誤り率の値を決定するためにコード符号を処理するステップと；
前記伝送誤り率の値が所定量よりも大きいときは、拡張表示メッセージを送信するステップと；
を備える、［５］記載の方法。
［１５］
前記表示メッセージはスロットｎ中に受信したビットを備えており、前記アクセスポイントは、前記複数のデータパケット内の各スロットを交互のパターンにしたがって指定し、前記アクセス端末へ送信するための次のデータパケットを変更するステップは、
前記複数のデータパケットの１つの反復がスロットｎ−１へ既にスケジュールされているとき、ビットが伝送終了の要求であることを決定するステップと；
既に送られたパケットがスロットｎ−１において伝送を終了したとき、ビットが再伝送の要求であることを決定するステップと；
前の表示ビットによって、スロットｎ−１において既に送られたパケットの再伝送が行なわれ、かつ所定数よりもより少ない再伝送が複数のデータパケットについて既に処理されているとき、ビットが再伝送の要求であることを決定するステップと；
状態が満たされていないとき、ビットがフォールスアラームであることを決定するステップと；
を備える、［１２］記載の方法。
［１６］
前記表示メッセージはスロットｎ中に受信したビットを備えており、前記アクセスポイントは期間ｐにしたがって複数のデータパケット内の各スロットを指定し、前記アクセス端末へ送信するための次のデータパケットを変更するステップは、
前記複数のデータパケットの１つの反復がスロットｎ＋１へ既にスケジュールされているとき、ビットが伝送終了の要求であることを決定するステップと；
既に送られたパケットがスロットｎ−ｐ＋１において伝送を終了したときは、ビットが再伝送の要求であることを決定するステップと；
前の表示ビットによって、スロットｎ−ｐ＋１において既に送られたパケットの再伝送が行なわれ、かつ所定数よりも少ない再伝送が複数のデータパケットについて既に処理されているときは、ビットが再伝送の要求であることを決定するステップと；
条件が満たされていないときは、ビットがフォールスアラームであることを
決定するステップと；
を備える、［１２］記載の方法。
［１７］
前記表示メッセージはスロットｎ中に受信したビットを備えており、前記アクセス端末へ送信するための次のデータパケットを変更するステップは、
前記複数のデータパケットの１つの反復がスロットｎ＋１へ既にスケジュールされているとき、ビットが伝送終了の要求であることを決定するステップと；
既に送信されたパケットがスロットｎ−Ｎ(i)において伝送を終了したときは、ビットが再伝送の要求であることを決定するステップと、なお、Ｎ(i)はデータスロット間のギャップスロット数を、ｉはデータレート指数を示す；
前の表示ビットによってスロットｎ−Ｎ(i)において既に送られたパケットの再伝送が行なわれ、かつ所定数よりも少ない再伝送が複数のデータパケットについて既に処理されているときは、ビットが再伝送の要求であることを決定するステップと；
条件が満たされていないときは、ビットがフォールスアラームであることを決定するステップと；
を備える、［１２］記載の方法。
［１８］
アクセスポイントからアクセス端末への伝送のデータスループットレートを高めるためのシステムであって、アクセス端末へ送るための複数のインターリーブされたデータスロットおよびギャップスロットを生成するように構成されている、アクセスポイントにおけるプロセッサを備えるシステム。
［１９］
前記アクセス端末におけるプロセッサであって、複数のインターリーブされたデータスロットおよびギャップスロットをデコードし、前記アクセスポイントから前記アクセス端末への伝送に関係する品質値を決定し、前記品質値にしたがって送信のためのデータレート要求メッセージを生成し、前記品質値にしたがって表示メッセージを生成し、前記表示メッセージは少なくとも１つのギャップスロットと関係する時間期間中に生成されて前記アクセスポイントへ送られるように構成されているプロセッサをさらに含む、［１８］記載のシステム。
［２０］
前記品質値はチャンネルのノイズおよび干渉値によって決定される、［１９］記載の装置。
［２１］
前記品質値は、前記デコードされた複数のデータスロットに基づいて、パケットの誤り値によって決定される、［１９］記載の装置。
［２２］
開ループレート制御プロセスを調節するための装置であって、
順方向リンクチャンネル上を送られるデータを記憶する少なくとも１つのバッファへ接続されており、複数のインターリーブされたデータスロットおよびギャップスロットをスケジュールするための、アクセスポイントにおけるスケジューラと；
前記スケジューラと結合されており、逆方向リンクチャンネル上で受信された複
数のデータ要求メッセージをデコードし、かつデータレート要求情報を前記スケジューラへ入力するためのデータレート要求メッセージデコーダと；
前記スケジューラと結合されており、前記逆方向リンク上で受信される複数の表示メッセージをデコードし、かつデコードされた表示メッセージを前記スケジューラへ入力するための表示メッセージデコーダと；
を備える装置。
［２３］
開ループレート制御プロセスを調節するための装置であって、
順方向リンクチャンネルと関係する品質値を決定するための、アクセス端末における推定素子と；
前記推定素子に結合され、複数のデータレート要求メッセージを生成するための開ループレート制御素子と、なお、開ループレート制御素子は、前記推定素子から受信した前記品質値を使用して、前記複数のデータレート要求メッセージのコンテンツを決定する；
前記推定素子及び前記デコーダに結合され、前記推定素子からの前記品質値か、または前記デコーダからの誤り値の何れかに基づいて、複数の表示メッセージを生成するための閉ループレート制御素子と、なお、前記デコーダは、前記順方向リンク上で受信した複数のインターリーブされたデータスロットおよびギャップスロットをデコードするように構成される；
前記デコーダ及び前記推定素子に結合され、閾値の組にしたがって前記閉ループレート制御素子をイネーブルするための制御装置と；
を備える装置。
【外国語明細書】
2011045098000001.pdf